(57)【特許請求の範囲】
【請求項１】
複数の方向に、それぞれ異なるコンテンツを表示する表示媒体であって、
複数の仮想的なセルを備える基材と、
前記セルに、前記基材と交わる平面上に形成される面であって、複数の方向のそれぞれから前記表示媒体を観察した際に露出する部分を有するパーティションを備え、
前記複数の方向のうち所定の方向から前記表示媒体を観察した際に露出する部分に、前記所定の方向に対応するコンテンツの色が与えられ、
前記パーティションの骨格は、前記複数の方向の各方向上に仮想的に設けられる点を母点としたボロノイ図におけるボロノイ面の一部を含む
ことを特徴とする表示媒体。
【請求項２】
前記複数の方向のうち所定の方向から前記表示媒体を観察した際に露出する部分は、前記複数の方向のうち前記所定の方向以外の方向から前記表示媒体を観察すると遮蔽される部分を有する
ことを特徴とする請求項１に記載の表示媒体。
【請求項３】
前記基材のうち、前記所定の方向から観察した際に露出する部分に、前記所定の方向に対応するコンテンツの色が与えられる
ことを特徴とする請求項１に記載の表示媒体。
【請求項４】
複数の方向に、それぞれ異なるコンテンツを表示する表示媒体であって、
複数の仮想的なセルを備える基材と、
前記セルに、前記基材と交わる平面上に形成される面であって、複数の方向のそれぞれから前記表示媒体を観察した際に露出する部分を有するパーティションを備え、
前記複数の方向のうち所定の方向から前記表示媒体を観察した際に露出する部分に、前記所定の方向に対応するコンテンツの色が与えられ、
前記基材上に、縦方向および横方向にそれぞれ複数のセルが設けられ、
前記パーティションは、前記セルの外縁に接するように設けられ、前記セルから、前記セル上の空間を前記複数の方向毎に放射状に区分する
ことを特徴とする表示媒体。
【請求項５】
請求項１または請求項４に記載の表示媒体の前記パーティションの面に与えられる色を算出する処理装置であって、
前記パーティションを形成する面は、複数のサブセルに仮想的に区分され、
前記複数の方向のそれぞれから視認されるサブセルを特定し、
前記複数の方向のそれぞれから視認されるサブセルのそれぞれの色で形成される色が、前記複数の方向の各方向に対応するコンテンツの前記パーティションの部分の色に近くなるように、前記サブセルに与える色を決定する色決定部
を備えることを特徴とする処理装置。
【請求項６】
請求項１または請求項４に記載の表示媒体の前記パーティションの面に与えられる色を算出する処理プログラムであって、
前記パーティションを形成する面は、複数のサブセルに仮想的に区分され、
コンピュータを、
前記複数の方向のそれぞれから視認されるサブセルを特定し、
前記複数の方向のそれぞれから視認されるサブセルのそれぞれの色で形成される色が、前記複数の方向の各方向に対応するコンテンツの前記パーティションの部分の色に近くなるように、前記サブセルに与える色を決定する色決定部
として機能させることを特徴とする処理プログラム。
【発明の詳細な説明】
【技術分野】
【０００１】
本発明は、複数の方向に、それぞれ異なるコンテンツを表示する表示媒体、および表示媒体のパーティションの面に与えられる色を算出する処理装置および処理プログラムに関する。
【背景技術】
【０００２】
方向に依存して互いに異なる画像を表示する表示媒体は、その観察者の目を引き、注目されやすいので、広告用のポスター、カード等に使われる。このような表示媒体を制作するために、一般的に、特殊な装置と機材を要する。
【０００３】
表示媒体で効率的な情報表示を実現するために、複数の情報を表示可能な表示媒体がある（特許文献１参照）。この特許文献１に記載の発明によれば、色が塗布される平面部材を複数のサブセルに区分し、平面部材に、サブセルの色を視認させる突状部材が形成される。突状部材が、平面部材上で指定方向に平行に、かつ、平面部材に垂直に形成される。指定方向から表示媒体を観察すると、指定方向に平行なサブセルに塗布された色が、指定方向から観察される。
【先行技術文献】
【特許文献】
【０００４】
【特許文献１】特許第６３７４６２５号公報
【発明の概要】
【発明が解決しようとする課題】
【０００５】
特許文献１に記載の表示媒体において、突状部材の色は単色であるため色域が狭い。また平面部材上に設けられた一部の色でコンテンツを表示するので、表示媒体が表示する各コンテンツの輝度が、低くなる場合がある。
【０００６】
従って本発明の目的は、広色域かつ高輝度な複数のコンテンツを表示することが可能な表示媒体、処理装置および処理プログラムを提供することである。
【課題を解決するための手段】
【０００７】
上記課題を解決するために、本発明の第１の特徴は、複数の方向に、それぞれ異なるコンテンツを表示する表示媒体に関する。本発明の第１の特徴に係る表示媒体は、複数の仮想的なセルを備える基材と、セルに、基材と交わる平面上に形成される面であって、複数の方向のそれぞれから表示媒体を観察した際に露出する部分を有するパーティションを備える。複数の方向のうち所定の方向から表示媒体を観察した際に露出する部分に、所定の方向に対応するコンテンツの色が与えられる。
【０００８】
ここで、複数の方向のうち所定の方向から表示媒体を観察した際に露出する部分は、複数の方向のうち所定の方向以外の方向から表示媒体を観察すると遮蔽される部分を有しても良い。
【０００９】
ここで、基材のうち、所定の方向から観察した際に露出する部分に、所定の方向に対応するコンテンツの色が与えられても良い。
【００１０】
パーティションの骨格は、複数の方向の各方向上に仮想的に設けられる母点としたボロノイ図におけるボロノイ面の一部を含んでも良い。
【００１１】
本発明の第２の特徴は、表示媒体のパーティションの面に与えられる色を算出する処理装置に関する。第２の特徴において、パーティションを形成する面は、複数のサブセルに仮想的に区分され、第２の特徴に係る処理装置は、複数の方向のそれぞれから視認されるサブセルを特定し、複数の方向のそれぞれから視認されるサブセルのそれぞれの色で形成される色が、複数の方向の各方向に対応するコンテンツのパーティションの部分の色に近くなるように、サブセルに与える色を決定する色決定部を備える。
【００１２】
本発明の第３の特徴は、表示媒体のパーティションの面に与えられる色を算出する処理プログラムに関する。第３の特徴において、パーティションを形成する面は、複数のサブセルに仮想的に区分され、第３の特徴に係る処理プログラムは、コンピュータを、複数の方向のそれぞれから視認されるサブセルを特定し、複数の方向のそれぞれから視認されるサブセルのそれぞれの色で形成される色が、所定方向に対応するコンテンツのパーティションの部分の色に近くなるように、サブセルに与える色を決定する色決定部として機能させる。
【発明の効果】
【００１３】
本発明によれば、広色域かつ高輝度な複数のコンテンツを表示することが可能な表示媒体、処理装置および処理プログラムを提供することができる。
【図面の簡単な説明】
【００１４】
【図１】本発明の実施の形態に係る表示媒体の斜視図である。
【図２】本発明の実施の形態に係るセルとパーティションの上面図である。
【図３】本発明の実施の形態に係るパーティションの斜視図である。
【図４】本発明の実施の形態に係るパーティションを説明する図である。
【図５】本発明の実施の形態に係る処理装置のハードウエア構成と機能ブロックを説明する図である。
【図６】本発明の実施の形態に係る表示方法の処理を説明するフローチャートである。
【図７】本発明の実施の形態に係る形状特定処理を説明するフローチャートである。
【図８】本発明の実施の形態に係る色決定処理を説明するフローチャートである。
【発明を実施するための形態】
【００１５】
次に、図面を参照して、本発明の実施の形態を説明する。以下の図面の記載において、同一または類似の部分には同一または類似の符号を付している。
【００１６】
（表示媒体）
図１を参照して、本発明の実施の形態に係る表示媒体１を説明する。本発明の実施の形態に係る表示媒体１は、複数の方向に、それぞれ異なるコンテンツを表示可能に形成される。表示媒体１は、所定の各方向から観察することで、方向毎に異なるコンテンツを表示することが可能ある。
【００１７】
本発明の実施の形態において、表示媒体１がコンテンツを表示する方向を、指定方向と称する。また、指定方向上の視点から表示媒体１を視認する方向を視線方向と称する。なお、本発明の実施の形態においてコンテンツを表示することが可能な指定方向は、表示媒体１に対して所定の角度の範囲内であっても良い。
【００１８】
表示媒体１が各指定方向に表示するコンテンツは、任意の静止画である。表示媒体１は、指定方向毎に任意のコンテンツを表示することができる。表示媒体１が表示する複数のコンテンツ間に、構図が類似する、被写体または被写体の一部が共通するなどの制限はない。表示媒体１は、指定方向毎に異なる意味内容を示す任意のコンテンツを表示することができる。これにより表示媒体１を視認したユーザは、指定方向毎に表示される各コンテンツから、異なる情報を理解することができるので、表示媒体１は、多くの情報を伝えることを可能とする。
【００１９】
本発明の実施の形態において、指定方向に表示される各コンテンツは、任意の静止画であり、それぞれ被写体が異なる。本発明の実施の形態において被写体は、コンテンツで表現される有体物、文字、記号、数字等であって、物を表現する画素の塊である。被写体は、背景に対して鮮明に表示されても良い。本発明の実施の形態において指定方向毎に表示する各コンテンツは、複数の被写体が重なり方を変えたり変形したりするものではなく、色、形等が全く異なる被写体を含むことを可能とする。本発明の実施の形態において、一方の指定方向で表示されるコンテンツは、無地の背景に文字を含み、他の指定方向で表現されるコンテンツは、市街地の背景に人の写像を含むことが可能である。
【００２０】
なお、いずれの指定方向からも離れた方向から表示媒体１を視認したユーザは、表示媒体１が意図するコンテンツとは異なるコンテンツを視認することになる。表示媒体１が意図するコンテンツとは異なるコンテンツは、コンテンツの表示内容からユーザに所定の情報を理解させることを意図しないコンテンツであって、多くの場合、そのコンテンツからユーザが意味を理解しにくいコンテンツである。
【００２１】
図１に示す表示媒体１上の空間から、視線位置を変えながら表示媒体１を観察すると、表示媒体１が表示するコンテンツから意味を理解できる位置もあれば、意味を理解できない位置もある。コンテンツから意味を理解できる位置は、表示媒体１が想定する複数の指定方向のうちのいずれかの指定方向上の位置、あるいはいずれかの指定方向の近傍の位置である。
【００２２】
図１に示すように表示媒体１は、基材２を有する。基材２は、鏡面反射するものではなく、少なくとも一部の光が透過する特性を有する。
【００２３】
基材２は、複数の仮想的なセルＣを備える。セルＣは、仮想的に形成されればよく、隣接するセルＣは、視覚的に区別されなくても良い。
【００２４】
本発明の実施の形態において基材２は平面を有し、平面上に複数のセルＣが形成される。図１に示す例において平面は、ＸＹ平面であって、基材２の上方に設けられる。他の実施例において、基材２は曲面を有し、曲面上に複数のセルＣが形成されても良い。
【００２５】
本発明の実施の形態において、光源は全方位に存在する。表示媒体１に与えられた色は、全方位に等法的に拡散する。
【００２６】
（パーティション）
図２に示すように、各セルＣに、パーティションＰが設けられる。パーティションＰは、基材２と交わる平面上に形成される面であって、複数の方向のそれぞれから表示媒体１を観察した際に露出する部分を有する。パーティションＰは、顔料入りのUV (ultraviolet)硬化樹脂、石膏等の遮蔽性を有する部材で形成される。図２に示す例においてパーティションＰは、セルＣの外縁に接するように設けられる。
【００２７】
パーティションＰは、基材２よりも盛り上がる凸形状を有する。パーティションＰが基材２と接する部分以外の表面部分に、コンテンツを表現する色が与えられる。本発明の実施の形態に係る表示媒体１は、凸形状にコンテンツの色が与えられるので、基材にコンテンツの色が与えられる場合に比べて、コンテンツの色が与えられる面積が広くなる。このようなパーティションＰを備える表示媒体１は、一つの媒体で複数のコンテンツを表示する場合でも、各コンテンツを表現する面積を広く形成できるので、広色域かつ高輝度なコンテンツを表示することが可能になる。
【００２８】
図２および図３に示すように、パーティションＰは、複数の面を有する。パーティションＰは、表示媒体１の１つの指定方向に対して１以上の面を有する。この面は、１つの指定方向上の視点から表示媒体１を視認する視線方向に対向し、視点から表示媒体１を視認する際に露出する。指定方向に対して露出する面で、その指定方向に対応するコンテンツの色を表現する。
【００２９】
より詳述すると、パーティションＰの表面のうち、複数の方向のうち所定の方向から表示媒体１を観察した際に露出する部分に、その所定の方向に対応するコンテンツの色が与えられる。表示媒体１の各指定方向について、パーティションＰの表面の一部が、その指定方向から表示媒体１を観察した際に、指定方向に対して露出し、その露出する部分に、その指定方向に対応するコンテンツの色が与えられる。これによりパーティションＰは複数の面を有することから、複数の指定方向に対して、各指定方向に対応するコンテンツの一部を表現することができる。
【００３０】
なお、所定の指定方向に対して露出する部分であっても、他の指定方向に向けても露出する場合もある。そのように複数の指定方向に対して露出する部分に、これらの複数の指定方向に対応する複数のコンテンツに好適な色が与えられる。
【００３１】
図２および図３に示すパーティションＰに、５つの指定方向に対する５つのコンテンツの色が与えられる。５つの指定方向は、セルＣの基材２に対する法線方向のほか、方位角０度かつ仰角４５度の方向、方位角９０かつ仰角４５度の方向、方位角１８０度かつ仰角４５度の方向および方位角２７０度かつ仰角４５度の方向である。ここで方位角は、セルＣの基材２のＸＹ平面上の方位を示し、仰角は、セルＣの基材２のＸＹ平面と、ＸＹ平面からＺ方向のある点を見上げる視線とがなす角を示す。
【００３２】
図２および図３に示す例においてパーティションＰは、複数の視線に対向する１６の三角形状面を有する。パーティションＰは、セルＣの基材２に対する法線方向に対する４つの三角形状面を有する。この４つの面で、法線方向に対応するコンテンツの一部を表現する。またパーティションＰは、法線方向以外の４つの方向のそれぞれついて、３つの三角形状面を有する。各３つの面で、各方向上に対応するコンテンツの一部を表現する。
【００３３】
表示媒体１に形成される各セルＣに、図２および図３に示すパーティションＰが形成される。所定の指定方向から表示媒体１を観察した際に、視線方向に対向するパーティションＰの面に与えられた色で、その視点に対応するコンテンツが表現される。
【００３４】
図４を参照して、パーティションＰの形状を説明する。本発明の実施の形態において、指定方向上に仮想的に設けられる母点に対するボロノイ図が、仮想的に形成される。パーティションＰは、ボロノイ図におけるボロノイ面を骨格に含む。パーティションＰは、骨格であるボロノイ面に肉付けしたものである。パーティションＰの表面は、ボロノイ面に平行な面を含む。
【００３５】
図４に示す例において、３つの視点Ｅ１、Ｅ２およびＥ３が設けられる。各視点Ｅ１、Ｅ２およびＥ３からセルＣの中心Ｃｓを視認する際の視線上に、母点Ｔ１、Ｔ２およびＴ３が設けられる。母点Ｔ１、Ｔ２およびＴ３は、セルＣの中心Ｃｓを中心とする所定の半径の仮想球体上に設けられる。
【００３６】
パーティションＰは、１以上の遮蔽部材Ｂを有する。遮蔽部材Ｂは、ボロノイ面を骨格とし、ボロノイ面に肉付けをしたものである。遮蔽部材Ｂは、パーティションＰが設置されたセルＣ上の空間を、指定方向毎の領域に区分する。
【００３７】
図４に示す例においてパーティションＰは、遮蔽部材Ｂ１およびＢ２を有する。遮蔽部材Ｂ１は、ボロノイ面Ｑ１を骨格とし、厚みｌの肉付けをしたものである。遮蔽部材Ｂ２は、ボロノイ面Ｑ２を骨格とし、厚みｌの肉付けをしたものである。また遮蔽部材Ｂ１の先端は、半径ｌとなる円状に形成する。
【００３８】
遮蔽部材Ｂ１は、セルＣ上の空間を、視点Ｅ１に対応する空間Ａ１と、視点Ｅ２に対応する空間Ａ２に区分する。遮蔽部材Ｂ２は、セルＣ上の空間を、視点Ｅ２に対応する空間Ａ２と、視点Ｅ２に対応する空間Ａ３に区分する。
【００３９】
パーティションＰの表面のうち、複数の指定方向のうち所定の指定方向から表示媒体１を観察した際に露出する部分は、複数の指定方向のうち所定の指定方向以外の方向から表示媒体１を観察すると遮蔽される部分を有する。パーティションＰの表面は、所定の１以上の指定方向に対して露出する場合でも、その他の指定方向からは見えない場合がある。パーティションＰの表面は、露出する指定方向に対応するコンテンツの色を表現する。これにより表示媒体１は、複数の指定方向に対して、異なるコンテンツの一部を表現することが可能になるので、広色域かつ高輝度な複数のコンテンツを表示することができる。
【００４０】
図４に示す例において、遮蔽部材Ｂ１の空間Ａ１側の面は、視点Ｅ１から視認できる一方、視点Ｅ２または視点Ｅ３から視認できない部分を有する。遮蔽部材Ｂ１の空間Ａ２側の面は、視点Ｅ２から視認できる一方、視点Ｅ１または視点Ｅ３からの視認できない部分を有する。遮蔽部材Ｂ２の空間Ａ２側の面は、視点Ｅ２から視認できる一方、視点Ｅ１または視点Ｅ３から視認できない部分を有する。遮蔽部材Ｂ２の空間Ａ３側の面は、視点Ｅ３から視認できる一方、視点Ｅ１または視点Ｅ２からの視認できない部分を有する。
【００４１】
パーティションＰが有する各面は、指定方向から視認しやすく、それ以外の指定方向から視認しにくく形成される。パーティションＰが有する各面は、指定方向に対してコンテンツを形成する色を発する効果と、指定方向以外から遮光する効果を両立する。これにより表示媒体１は、各指定方向に対して、任意の異なるコンテンツを表示することができる。また表示媒体１は、各指定方向に対して色域が広く輝度の高いコンテンツを表示することができる。パーティションＰの各面は、指定方向以外からの視線の影響が抑制されるので、指定方向から観察される面に、好適な色を与えることができる。
【００４２】
本発明の実施の形態において、パーティションＰの骨格は、母点に対して形成されたボロノイ面上に形成される。ボロノイ面は、各母点の中で、近隣の母点との中央を通り、かつ、それぞれの母点からの視線を遮るように形成される。パーティションＰの面は、このように形成されたボロノイ面に対して、所定の厚みを設けて形成される。
【００４３】
このように形成されるパーティションＰの表面に色を与えることにより、広い面にコンテンツの色を与え、コンテンツの視認性（輝度）を向上させることができる。
【００４４】
なお、本発明の実施の形態において表示媒体１は、３Ｄプリンタで形成される。従って、パーティションＰの形状および精度は、パーティションを形成する３Ｄプリンタの性能に依存する。例えば３Ｄプリンタの性能の範囲内でボロノイ面に対して薄く厚みを形成してパーティションＰを形成することにより、指定方向からの視認性を向上させることができる。
【００４５】
次に、あるセルに設けられるパーティションＰの形状を算出する方法を説明する。予め、セルＣのサイズ（Ｘ軸方向の長さおよびＹ軸方向の長さ）、指定方向と、指定方向の数（ｎ）が特定される。ここで、セルＣは、Ｘ軸方向の長さおよびＹ軸方向の長さが同じ正方形形状を有する。またセルＣの対角線上の距離は、２ｒである。
【００４６】
セルＣの中心Ｃｓを中心とする半径ｒの仮想半球を想定する。指定方向から中心Ｃｓを観察した際の半球との交点を、その指定方向に対応する母点とする。図４に示す例において、中心Ｃｓから視点Ｅ１を観察する指定方向について、母点Ｔ１が決定される。同様に、中心Ｃｓから視点Ｅ２を観察する指定方向について、母点Ｔ２が決定される。中心Ｃｓから視点Ｅ３を観察する指定方向について、母点Ｔ３が決定される。
【００４７】
各指定方向に対応する母点が決まると、セルＣ上の空間を、いずれの母点に近いかによって領域分けすることで、立体的なボロノイ図が決定される。この立体的なボロノイ図を、セルＣの中心Ｃｓを中心とする半径ｒの仮想半球でボロノイ図を切り取った部分が、パーティションＰの骨格（中心／芯）となる。
【００４８】
パーティションＰの骨格は、複数の方向の各方向上に仮想的に設けられる母点としたボロノイ図におけるボロノイ面の一部である。
【００４９】
しかしながら、計算によって得られるパーティションＰの骨格は、いわゆる多様体（manifold）で、厚みがなく、造形することができない。そこで、骨格を中心として、指定した距離ｌの位置に面Ｍを設ける。面Ｍは、最も近い骨格までの距離がｌとなるように形成される。面Ｍを含む立体形状が、パーティションＰとなる。なお、距離ｌは、半球の半径ｒに比べて充分に小さい。距離ｌの値が大きいと、色を与える面の面積が小さくなり視認性が低下する場合があるので、なるべく小さい方が好ましい。距離ｌの値は、パーティションＰを形成する装置（３Ｄプリンタ）等の性能に依存する。
【００５０】
ここで、パーティションＰに含まれる面Ｍは、式（１）で表現される。
【００５１】
【数１】
0006764990.tif 000002
【００５２】
なお、具体的なパーティションＰの形状は、適宜変更されても良い。例えば、パーティションＰに形成される複数の遮蔽部材は、図４に示すように、一体形状に形成されても良いし、個別に形成されても良い。
【００５３】
また図４に示す例において、基材２上に、コンテンツの色が設けられない場合を説明するが、これに限られない。例えば、基材２のうち、所定の方向から観察した際に露出する部分に、その所定の方向に対応するコンテンツの色が与えられても良い。例えば、基材２上の空間Ａ１と接する部分において、視点Ｅ１からの指定方向に対応するコンテンツの色が与えられても良い。同様に、基材２上の空間Ａ３と接する部分において、視点Ｅ３からの指定方向に対応するコンテンツの色が与えられても良い。基材２上にもコンテンツの色を与えることにより、コンテンツの輝度を高めることが可能になる。
【００５４】
またパーティションＰの骨格は、複数の方向から表示媒体１を観察した際の視線の交点を含む。図２および図３に示すように、セルＣの中心Ｃｓに対して、対称に指定方向が設けられる場合、視線の交点は、セルＣの中心Ｃｓに設けられる。また視線の交点は、複数の方向の各方向上に仮想的に設けられる母点としたボロノイ図におけるボロノイ面の交点となる。換言すると、パーティションＰの遮蔽部材は、セルＣの中心Ｃｓからセル上の空間を放射状に区分するように形成される。
【００５５】
図２ないし図４に示すように、パーティションＰを形成する面は、複数のサブセルＬに仮想的に区分される。パーティションＰのうち、複数の指定方向のうちの少なくとも１つの指定方向から見える部分が、複数のサブセルＬに区分される。各サブセルＬに、コンテンツを表現する色が与えられる。各サブセルＬは、視覚的に区分される必要はなく、仮想的な区分でも良い。例えば、隣接するサブセルＬに同じ色が与えられ、サブセルＬが視覚的に区別されなくても良い。
【００５６】
なお図４に示す複数のサブセルＬは、説明上、互いに離れているが、隣接するように形成されるのが好ましい。また図４に示すサブセルＬの大きさは視認性を向上させるために大きく記載したものであって、これに限るものではない。
【００５７】
サブセルＬの大きさは、視点からの距離に対して充分小さい。視点は、並置加法混色が成り立つ程度離れた場所に設けられる。
【００５８】
サブセルＬは、パーティションＰの表面を区分する領域である。サブセルＬは、図２−３等に示すように、パーティションＰの表面をメッシュ状に分割した際の交点に対応する領域である。サブセルＬは、メッシュで区切られた際の交点を頂点とする領域でも良いし、交点を中心とする領域でも良い。
【００５９】
パーティションＰの表面に与えられる色を算出する方法を説明する。
【００６０】
まず、指定方向ごとに、指定方向から視認されるサブセルＬが特定される。ここで、各指定方向からパーティションＰをレンダリングすることで、その指定方向から見えるサブセルＬと、見えないサブセルＬが特定される。表示媒体１が想定する各指定方向について、その指定方向から見えるサブセルＬと、見えないサブセルＬが特定される。
【００６１】
次に、各サブセルＬに与えられる色を特定する方法を説明する。各指定方向から視認されるサブセルＬで、各指定方向に対応するコンテンツのそのサブセルＬが位置するセルの色値を表現できるように、各サブセルＬの色値を決定する。このとき、並置加法混色により、指定方向から視認される複数のサブセルＬで、コンテンツの色値が表現できれば良い。
【００６２】
具体的には、式（２）により、指定方向から見たパーティションＰの色Acが、その指定方向に対応するコンテンツの処理対象のセルの色Bとの差が近くなるように、各サブセルＬの色を決定する。パーティションＰの色Acは、指定方向から視認できる各サブセルＬに与えられる色の混色により表現される。
【００６３】
【数２】
0006764990.tif 000003
【００６４】
なお、各サブセルＬの色は、例えば、RGB（Red、Green、Blue）、CMY（Cyan、Magenta、Yellow）等の色の３原色で表した際の３つのパラメータの行列で表されても良い。
【００６５】
このように１つのセルについて、各サブセルＬの色が決定されると、他のセルについても同様に、各サブセルＬの色が決定される。
【００６６】
このように形成および着色されたパーティションＰが、各セルに配置されることにより、表示媒体１は、各指定方向に対して異なるコンテンツを表示することができる。
【００６７】
本発明の実施の形態に係る表示媒体１は、パーティションＰは、パーティションＰが設けられるセルの面積を増やして、指定方向に対応するコンテンツの一部を表現するので、
広色域かつ高輝度な複数のコンテンツを表示することができる。
【００６８】
（処理装置）
図５を参照して、本発明の実施の形態に係る処理装置３を説明する。処理装置３は、各指定方向に対して表示する出力画像（コンテンツ）が、所望の目標画像に近づくように、パーティションＰの各サブセルＬの色を算出する。
【００６９】
処理装置３は、指定方向上の母点に対してボロノイ面を算出し、そのボロノイ面を中心とするパーティションＰの形状を特定する。処理装置３は、パーティションＰの表面を複数のサブセルＬに分割し、各サブセルＬについて、各指定方向から見えるか否かを判定する。処理装置３は、各指定方向から見えるサブセルＬに与える色で、各指定方向に対応するコンテンツを表示できるように、各サブセルＬの色を最適化する。
【００７０】
なお、本発明の実施の形態において、処理装置３が、パーティションＰの形状とサブセルＬの色を算出する場合を説明するが、これに限られない。例えば、パーティションＰの形状とサブセルＬの色は、手計算により算出されても良い。またパーティションＰの形状は、定規またはコンパス等の道具を用いて設計されても良い。
【００７１】
処理装置３は、記憶装置１０、処理制御装置２０および入出力インタフェース３０を備える一般的なコンピュータである。一般的なコンピュータが処理プログラムを実行することにより、図５に示す機能を実現する。
【００７２】
記憶装置１０は、ＲＯＭ（Read Only Memory）、ＲＡＭ（Random access memory）、ハードディスク等であって、処理制御装置２０が処理を実行するための入力データ、出力データおよび中間データなどの各種データを記憶する。処理制御装置２０は、ＣＰＵ（Central Processing Unit）であって、記憶装置１０に記憶されたデータを読み書きしたり、入出力インタフェース３０とデータを入出力したりして、処理装置３における処理を実行する。
【００７３】
入出力インタフェース３０は、処理制御装置２０に入出力する外部装置とのインタフェースである。本発明の実施の形態において入出力インタフェース３０は、パーティションＰの形状と、パーティションＰ上のサブセルＬの色を、パーティションＰの製造装置に出力する。製造装置は、入力されたパーティションＰの形状および色に基づいて、パーティションＰを形成する。
【００７４】
本発明の実施の形態において、製造装置は、３Ｄプリンタである。なおパーティションＰ上のサブセルＬの色のデータは、通信ネットワークまたは通信ケーブル等を介して、処理装置３から製造装置に入力されても良い。パーティションＰ上のサブセルＬの色のデータは、ＵＳＢ（Universal Serial Bus）メモリ等の記憶媒体を介して、製造装置に入力されても良い。本発明の実施の形態において、３ＤプリンタがパーティションＰの形成および着色を行う場合を説明するが、これに限らない。例えばパーティションＰの形成と着色が、それぞれ異なる装置によって行われても良い。
【００７５】
記憶装置１０は、処理プログラムを記憶するとともに、条件データ１１、形状データ１２、入力画素値データ１３および色値データ１４を記憶する。条件データ１１および入力画素値データ１３は、処理制御装置２０による処理に先駆けて、予め与えられる。
【００７６】
条件データ１１は、パーティションＰの形状および色を決定するために必要な条件のデータを含む。条件は、例えば、指定方向および指定方向の数、表示媒体１のセルＣの形状および位置等である。
【００７７】
形状データ１２は、パーティションＰの形状を特定するデータである。形状データ１２は、製造装置が読み取り可能な形式で生成されても良い。
【００７８】
入力画素値データ１３は、表示媒体１が各方向に対して出力する出力画像の目標画像のデータである。入力画素値データ１３は、指定方向毎に、表示媒体１上に形成される各セルに対応する色値を特定する。入力画素値データ１３は、例えば、表示媒体１の各セルと同様の並びを有する区間毎の色値を有する。色値は、例えば、ＲＧＢの三原色の各値である。
【００７９】
色値データ１４は、パーティションＰの各サブセルＬに与える色値を特定する。色値は、入力画素値データ１３と同様に、例えば、ＲＧＢの三原色の各値である。
【００８０】
処理制御装置２０は、形状特定部２１、形状出力部２２、色決定部２３および出力部２４を備える。
【００８１】
形状特定部２１は、パーティションＰの形状を特定する。形状特定部２１は、まず、各指定方向上に設けられる母点に対するボロノイ面を算出する。形状特定部２１は、さらに、算出されたボロノイ面に対して、所定の厚みを設けた形状を、パーティションＰの形状として算出する。形状特定部２１は、算出されたパーティションの形状を特定する形状データ１２を生成して、記憶装置１０に記憶する。
【００８２】
形状特定部２１は、パーティションＰを形成する製造装置の性能により、算出したパーティションの形状を、さらに変形しても良い。
【００８３】
また形状特定部２１は、セルＣ毎にパーティションＰの形状を特定しても良いし、各セルで共通するパーティションＰの形状を特定しても良い。例えば、視点と表示媒体１とが近く、視点をずらして表示媒体１を俯瞰する必要がある、所定の視点から各セルを見た際の視線方向の差異が大きい、または表示媒体１に求められる精度が高いなどの場合、形状特定部２１は、セルＣ毎にパーティションＰの形状を特定するのが好ましい。一方、視点と表示媒体１とが一定以上の距離があり、視点から表示媒体１を俯瞰できる、所定の視点から各セルを見た際の視線方向の差異が小さい、または表示媒体１に求められる精度が低いなどの場合、形状特定部２１は、各セルで共通するパーティションＰの形状を特定するのが好ましい。
【００８４】
形状出力部２２は、形状特定部２１が生成した形状データ１２を、入出力インタフェース３０を介して、製造装置に出力する。製造装置は、入力された形状データ１２に基づいて、表示媒体１の各セルＣにパーティションＰを形成する。
【００８５】
色決定部２３は、パーティションＰの表面に設けられる各サブセルＬの色を決定する。
【００８６】
色決定部２３は、まず、複数の方向のそれぞれから視認されるサブセルＬを特定する。色決定部２３は、パーティションＰの各サブセルＬについて、各指定方向から見えるか否かを判定する。さらに色決定部２３は、式（２）に示すように、複数の方向のそれぞれから視認されるサブセルＬのそれぞれの色で形成される色が、複数の方向の各方向に対応するコンテンツのパーティションＰの部分の色に近くなるように、サブセルＬに与える色を決定する。
【００８７】
色決定部２３は、各指定方向に対して表示する各目標画像における、処理対象のセルの色値を特定する。指定方向からパーティションＰを観察した際に視認できるサブセルＬの色の混合が、その指定方向に対応する目標画像における、処理対象のセルの色値になるように、各サブセルＬの色を決定する。各指定方向について同様の処理を繰り返し、パーティションの各サブセルＬの色を最適化する。また色決定部２３は、表示媒体１の各セルＣに設けられる各パーティションＰについて、そのパーティションＰの表面の各サブセルに与える色を同様に算出する。
【００８８】
色決定部２３は、最適化された各サブセルＬの色を特定する色値データ１４を生成する。色値データ１４は、表示媒体１の各セルＣに設けられる各パーティションＰの各サブセルＬの色を特定する。色決定部２３は、生成した色値データ１４を記憶装置１０に記憶する。
【００８９】
出力部２４は、色決定部２３が生成した色値データ１４を、入出力インタフェース３０を介して、製造装置に出力する。製造装置は、入力された色値データ１４に基づいて、表示媒体１の各セルＣに設けられるパーティションＰの各サブセルＬに着色する。
【００９０】
なお、本発明の実施の形態に係る表示媒体１は、指定方向に対して良好なコンテンツを表示することができるが、指定方向から少し離れた場合でも、コンテンツを表示することが可能である。例えば、指定方向から離れるものの、他の指定方向には遠い場合、指定方向に対して表示するコンテンツが若干変形して表示される。このようなコンテンツにおける変形が少ない場合、またはコンテンツの認識において影響の少ない範囲での変形の場合、ユーザは、変形したコンテンツであっても、コンテンツの意味内容を理解することが可能となる。
【００９１】
一方、例えば、ボロノイ面上から表示媒体１を視認するなど、いずれの指定方向からも遠い方向から表示媒体１を視認する場合、ユーザが視認できるコンテンツは、表示媒体１が意図するコンテンツとは異なり、コンテンツからユーザに意味内容を認識させることができない場合が多い。
【００９２】
（表示方法）
図６ないし図８を参照して、本発明の実施の形態において、処理装置３がパーティションＰの形状と色を特定する処理を説明する。なお図６ないし図８で説明する処理順序は一例であって、これに限るものではない。
【００９３】
ステップＳ１において処理装置３は、表示媒体１が表示する複数のコンテンツの画素値と、その各コンテンツを表示する指定方向の情報を取得する。またステップＳ２において処理装置３は、表示媒体１のセルＣの大きさを取得する。ステップＳ１およびステップＳ２で取得する各情報は、条件データ１１等から取得される。
【００９４】
表示媒体１の各セルＣについて、ステップＳ３ないしステップＳ６の処理を繰り返す。
【００９５】
まずステップＳ３において処理装置３は、形状特定部２１によって、処理対象のセルＣに設けるパーティションＰの形状を特定する。パーティションＰの形状を特定する処理は、図７を参照して、後に詳述する。ステップＳ４において処理装置３は、ステップＳ３で特定されたパーティションＰの形状を出力する。
【００９６】
ステップＳ５において処理装置３は、色決定部２３によって、パーティションＰの表面に与えられる色を特定する。パーティションＰの表面に与えられる色を特定する処理は、図８を参照して、後に詳述する。ステップＳ６において処理装置３は、ステップＳ５で特定されたパーティションＰの色を出力する。
【００９７】
表示媒体１の各セルＣについて、ステップＳ３ないしステップＳ６の処理が実行されると、処理装置３は処理を終了する。
【００９８】
図７を参照して、形状特定部２１による形状特定処理を説明する。図７に示す処理は、図６のステップＳ３の処理に相当する。
【００９９】
ステップＳ１０１において形状特定部２１は、処理対象のセルＣの中心Ｃｓから半径ｒの仮想半球の位置を算出する。
【０１００】
形状特定部２１は、各指定方向について、ステップＳ１０２の処理を繰り返す。ステップＳ１０２において形状特定部２１は、処理対象の指定方向からセルＣを観察した視線と、ステップＳ１０１で算出した仮想半球の交点を、母点として算出する。各指定方向について母点が算出されると、ステップＳ１０３に進む。
【０１０１】
ステップＳ１０３において形状特定部２１は、ステップＳ１０２で算出した各母点に対するボロノイ面を算出する。ステップＳ１０４において形状特定部２１は、ステップＳ１０３で算出されるボロノイ面のうち、ステップＳ１０１で算出した仮想半球内の形状を、処理対象のセルＣに設けられるパーティションＰの骨格として特定する。ステップＳ１０３で算出したボロノイ面を、ステップＳ１０１で算出した仮想半球で切り取った内側が、パーティションの骨格となる。
【０１０２】
ステップＳ１０４において形状特定部２１は、ステップＳ１０４で算出されたパーティションＰの骨格に対して厚みを設けて、パーティションＰの形状を特定する。ここでは、ステップＳ１０４で特定されたパーティションＰの骨格から所定距離離れた位置の集合を、パーティションＰの形状として特定する。特定されたパーティションの形状は、形状データ１２として出力される。
【０１０３】
図８を参照して、色決定部２３による色特定処理を説明する。図８に示す処理は、図６のステップＳ５の処理に相当する。
【０１０４】
ステップＳ２０１において色決定部２３は、処理対象のセルＣに設けられるパーティションの表面を、複数のサブセルＬに区分する。
【０１０５】
ステップＳ２０１で区分された各サブセルＬおよび各指定方向について、ステップＳ２０２の処理が実行される。ステップＳ２０２において色決定部２３は、処理対象のサブセルＬが、処理対象の指定方向から見えるか否かを判定する。各サブセルＬおよび各指定方向についてステップＳ２０２の処理が終了すると、ステップＳ２０３に進む。
【０１０６】
ステップＳ２０３において色決定部２３は、各指定方向から見えるサブセルＬで、目標となる色値を表現できるように、各サブセルＬの色を設定する。ここで、目標となる色値は、各指定方向に表示する各コンテンツの色値うち、処理対象のセルで表現する色値である。目標となる色値は、指定方向毎に設けられる。各指定方向から見える各サブセルＬの色の混色が、各指定方向に表示するコンテンツの処理対象のセルの色値に近くなる要件を満たすように、色決定部２３は、パーティションＰの表面の各サブセルＬの色値を最適化する。
【０１０７】
このように、処理装置３が式（１）および式（２）に基づいて、各セルのパーティションＰの形状と、パーティションＰに与える色を算出することにより、表示媒体１が形成される。
【０１０８】
また本発明の実施の形態に係る表示媒体１は、複数の方向に対して、それぞれ異なる意味内容の情報を提供することができるので、限られた領域で、より多くの情報を提供することができる。
【０１０９】
（第１の変形例）
本発明の実施の形態において、表示媒体１が各指定方向に表示するコンテンツが、静止画である場合を説明したが、これに限らない。例えば、パーティションＰの表面が、動画を表示可能なディスプレイで形成され、パーティションの表面を動的に変更できる場合、表示媒体１が各指定方向に表示するコンテンツは、動画でも良い。動画を表示可能なディスプレイは、例えば、液晶ディスプレイまたは有機ＥＬ（electro-luminescence）ディスプレイ等である。
【０１１０】
この場合、複数の目標動画のうち、同時に表示する各フレームデータが、目標画像となる。処理装置３は、表示媒体１が表示する動画のうち、各指定方向に同時に表示する各フレームデータが、各目標画像に近くなるように、パーティションＰ上の各サブセルＬの色を最適化する。
【０１１１】
また本発明の実施の形態に係るサブセルＬは、ディスプレイ上に形成される。サブセルＬは、ディスプレイを構成する画素または複数の隣接する画素群である。
【０１１２】
（第２の変形例）
本発明の実施の形態において、表示媒体１が３Ｄプリンタで形成される場合を説明したがこれに限らない。本発明の実施の形態において表示媒体１の大きさは、３Ｄプリンタの仕様の制限を受けるが、表示媒体１は任意の大きさに形成されても良い。
【０１１３】
例えば、野球場、コンサート会場、市街地等に設けられる広告掲示板のように、数メートルないし数十メートルの大型のディスプレイに、本願の実施の形態に係る表示媒体１の表示手法を適用することができる。このような大型のディスプレイを複数のセルに区分し、各セルに、複数の指定方向に対応する面を有するパーティションを形成する。これらのパーティションの表面に、指定方向に対応する出力画像を構成する色を与える。
【０１１４】
このような大型のディスプレイに、実施の形態に係る表示手法を適用することにより、より広い範囲のより多くの人に、各人の位置に応じたコンテンツを表示することができる。
【０１１５】
例えば、野球場の外野席に設けた大型ディスプレイは、１塁側の観戦者、３塁側の観戦者、バックネット裏の観戦者のそれぞれに、各観戦者に好適なコンテンツを表示することができる。例えば、大型ディスプレイは、１塁側の観戦者に対して、１塁側の観戦者の多くが応援するチームの情報を表示すると同時に、３塁側の観戦者に対して、３塁側の観戦者の多くが応援するチームの情報を表示することができる。
【０１１６】
また、市街地に設けられた大型ディスプレイを、道路の案内標識等に活用することができる。大型ディスプレイに対して異なる指定方向に位置する人に対して、それぞれの指定方向に対応する異なる情報を、同時に提供することができる。例えば、大型ディスプレイは、それぞれ異なる指定方向に対する信号を表示することにより、１つのディスプレイで、複数の方向に対応する信号機を実現することが可能になる。
【０１１７】
本発明の実施の形態に係る表示方法は、特定の方向に対して情報を提供することが可能である。例えば本発明の実施の形態に係る表示媒体を複数の車線が混在する交差点に設けることにより、表示媒体は、それぞれの車線を特定して信号を表示することができる。これによりその交差点に進入する運転者は、自分の車線への信号表示と他の車線への信号表示とを取り違えるような誤認を、防ぐことができる。
【０１１８】
また本発明の実施の形態において、表示媒体が人の目で直接視認できるコンテンツを表示する場合を説明したが、これに限られない。表示媒体の出力画像が、カメラによって撮影され、人が、その撮影画像を介してコンテンツを認識しても良い。表示媒体が巨大な場合、例えば、ドローン等の空中撮影を介して、人はコンテンツを認識しても良い。
【０１１９】
（第３の変形例）
本発明の実施の形態に係る表示媒体を、裸眼で立体視を提供する技術に適用することも可能である。
【０１２０】
本発明の実施の形態に係る表示媒体は、指定方向に対して異なるコンテンツを表示することができる。第３の変形例に係る表示媒体がコンテンツを表示する指定方向を、表示媒体を視認するユーザの左右の視覚角度の差にあわせる。表示媒体は、右眼の指定方向に対して、ユーザが立体視を認識可能な右目用のコンテンツを表示するとともに、左眼の指定方向に対して、左目用のコンテンツを表示する。
【０１２１】
このように第３の実施の変形例にかかる表示媒体は、裸眼３Ｄに適用されても良い。
【０１２２】
（その他の実施の形態）
上記のように、本発明の実施の形態とその変形例１ないし３によって記載したが、この開示の一部をなす論述および図面はこの発明を限定するものであると理解すべきではない。この開示から当業者には様々な代替実施の形態、実施例および運用技術が明らかとなる。
【０１２３】
例えば、本発明の実施の形態に記載した処理装置は、図５に示すように一つのハードウエア上に構成されても良いし、その機能や処理数に応じて複数のハードウエア上に構成されても良い。また、他の機能も実現する既存の処理システム上に実現されても良い。
【０１２４】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【０１２５】
１  表示媒体
２  基材
３  処理装置
１０  記憶装置
１１  条件データ
１２  形状データ
１３  入力画素値データ
１４  色値データ
２０  処理制御装置
２１  形状特定部
２２  形状出力部
２３  色決定部
２４  出力部
３０  入出力インタフェース
Ａ  空間
Ｂ  遮蔽部材
Ｃ  セル
Ｃｓ  中心
Ｌ  サブセル
Ｐ  パーティション
Ｔ  母点
【要約】
【課題】広色域かつ高輝度な複数のコンテンツを表示する。
【解決手段】  表示媒体１は、複数の仮想的なセルＣを備える基材２と、セルＣに、基材２と交わる平面上に形成される面であって、複数の方向のそれぞれから表示媒体１を観察した際に露出する複数の面を有するパーティションＰを備え、複数の方向のうち所定の方向から表示媒体１を観察した際に露出する部分に、所定の方向に対応するコンテンツの色が与えられる。表示媒体１は、複数の方向に、それぞれ異なるコンテンツを表示する。
【選択図】      図１【図１】
0006764990.tif 000004
【図２】
0006764990.tif 000005
【図３】
0006764990.tif 000006
【図４】
0006764990.tif 000007
【図５】
0006764990.tif 000008
【図６】
0006764990.tif 000009
【図７】
0006764990.tif 000010
【図８】
0006764990.tif 000011